(57)【要約】【課題】  電子制御基板上に高密度に実装されたパワー半導体素子，コンデンサ等の発熱する電子制御部品の冷却効率を高め、信頼性の高い電子制御基板を実現する誘導加熱調理器を提供する。【解決手段】  本体１上面に配置されたトッププレート２と、該トッププレート２の下方で本体１内の上部に配置された誘導加熱コイル４ａ，４ｂ，４ｃと、該誘導加熱コイル４ａ，４ｂ，４ｃの下部に配置され電子制御部品を配置した電子制御基板５と、該電子制御基板５を冷却する冷却ファン６とよりなり、該冷却ファン６の吹出口１８ｂが中央のファンモータ６ａとその取付け部を除く左右の何れかに開口している誘導加熱調理器において、前記電子制御基板５上に搭載される電子制御部品のうち、少なくとも発熱の大きい電子制御部品を前記冷却ファン６の冷却風の吹出口１８ｂから遠い側の前方に向けて斜め方向に配置する。【選択図】図３
2008311092.tif 000002
【特許請求の範囲】
【請求項１】
本体上面に配置されたトッププレートと、該トッププレートの下方で本体内の上部に配置された誘導加熱コイルと、該誘導加熱コイルの下部に配置され電子制御部品を搭載した電子制御基板と、本体の後部側に配置され前記電子制御基板を冷却する冷却ファンとよりなり、該冷却ファンの吹出口がファンモータとその取付け部を除く左右の何れかに開口している誘導加熱調理器において、前記電子制御基板上に搭載される電子制御部品のうち、少なくとも発熱の大きい電子制御部品を前記冷却ファンの冷却風の吹出口から遠い側の前方に向けて斜め方向に配置することを特徴とする誘導加熱調理器。
【請求項２】
前記電子制御基板上に、前記冷却ファンの冷却風の吹出口から遠い側の前方に向けて斜め方向に仕切り壁を配置し、該仕切り壁の両側に冷却風路を形成し、夫々の冷却風路上に前記仕切り壁に沿って電子制御部品を搭載することを特徴とする請求項１記載の誘導加熱調理器。
【請求項３】
前記仕切り壁の両側に形成された冷却風路に送風された冷却風は、電子制御基板上に搭載された電子制御部品を冷却した後、一方の冷却風路の冷却風はその上面に配置した誘導加熱コイルを冷却し、他の冷却風路の冷却風は前記誘導加熱コイルより離れた位置に配置された誘導加熱コイルを冷却することを特徴とする請求項２記載の誘導加熱調理器。
【発明の詳細な説明】
【技術分野】
【０００１】
本発明は、誘導加熱調理器において、その加熱源である誘導加熱コイルを制御する電子制御基板の冷却構造に関するものである。
【背景技術】
【０００２】
従来の誘導加熱調理器は、主な加熱源が誘導加熱コイルであり、この誘導加熱コイルによって発生する磁束により耐熱ガラス製のトッププレート上に載置した調理鍋に渦電流を発生させ、調理鍋を加熱するものである。
【０００３】
この誘導加熱調理器は、ガスなどの調理系に比べて調理鍋以外への放熱が少なく、熱効率も良好である。
【０００４】
構成面では、本体正面に電源スイッチを設け、本体上面に調理鍋を載せるトッププレートを配置し、このトッププレートの上面前部側に加熱調理の制御命令を入力する操作部や表示部を配置し、トッププレートの下方で本体内の上部左右に誘導加熱コイル、後部中央に同じく誘導加熱コイルや抵抗ヒータを配置し、これらの加熱源の下部に仕切り板を介して右側に駆動部収納ユニット（左側でもよい）を配置し、その駆動部収納ユニット内に前記誘導加熱コイルを駆動するインバータ部と、駆動を制御するための各種電子制御部品を搭載した電子制御基板と、加熱コイルと電子制御基板を冷却するための冷却ファンを備え、左側に魚等を調理するグリル部（右側でもよい）を配置するものが一般的である。
【０００５】
そして、トッププレートの上面に被加熱物である調理鍋を載置して調理を開始する場合には、本体正面の電源スイッチのオンにより電子制御基板，インバータ部に電源を投入後、操作部により制御命令を入力し、誘導加熱コイルを駆動して加熱調理を行うものであり、所定時間経過後加熱調理が終了した後は、前記電源スイッチをオフするものである。
【０００６】
このような構成の誘導加熱調理器は、調理鍋の加熱時に誘導加熱コイルだけでなく、電子制御基板上に搭載した電子制御部品からも発熱が生じるため、冷却ファンを用いて駆動部収納ユニット内に冷却風を送風し、電子制御基板部を冷却することが行われている。
【０００７】
前記電子制御基板は、回路損失の大きいＩＧＢＴパワー半導体素子で構成された駆動素子を冷却風の上流側に搭載し、他にトランジスタ，コンデンサ類，抵抗類等の電子制御部品を搭載している。そして、前記冷却ファンの駆動によって駆動部収納ユニット内に送風された冷却空気は、前記電子制御部品を冷却した後、その上部に配置された誘導加熱コイル等の加熱源やトッププレートの上面前部側に配置された表示部を冷却し、本体の後部に開口した排気口を通して本体の外部に排出される。
【０００８】
その送風冷却の例として、例えば特許文献１，特許文献２及び特許文献３に記載されているものがある。
【０００９】
前記特許文献１及び特許文献２に記載されているものは、本体の内部に樹脂製の駆動部収納ケースを収納し、この収納ケースの内部に冷却ファンと多段の電子制御基板を配置し、前記冷却ファンの駆動により本体の後部上面に設けた吸気口から前記収納ケース内に冷却空気を吸引し、電子制御部品を組み込んだ電子制御基板を冷却するものである。
【００１０】
また、特許文献３に記載されているものは、前記した特許文献１及び特許文献２と略同様の構成において、冷却ファンとしてターボファンを用い、該ターボファンの吸込口と吹出口の方向をファンの軸方向と一致する方向に配置するとともに、前記吹出口を複数個に分けて設け、その下流側に電子制御部品を組み込んだ電子制御基板を配置したものである。
【００１１】
【特許文献１】特開２００３−８６３３９号公報
【特許文献２】特開２００４−３４９１８５号公報
【特許文献３】特開２００５−３０２４０７号公報
【発明の開示】
【発明が解決しようとする課題】
【００１２】
近年、上記した誘導加熱調理器において、調理時間の短縮などの要請から加熱源である誘導加熱コイルはより高出力化される傾向にあり、グリル部は大型の調理品に対応できるように内容積が大型化される傾向にある。
【００１３】
また、使用する調理鍋の種類は、高効率で加熱できる鉄鍋だけでなく、加熱効率の低い非磁性ステンレス鍋も使用されるようになってきており、さらに多種の鍋に対応できるように、これらの鉄，非磁性ステンレス製の鍋に加えてアルミ製，銅製の鍋でも使用できる機種が製品化されてきている。
【００１４】
一方、この誘導加熱調理器は、上記したように誘導加熱コイルを制御する電子制御基板を誘導加熱コイルの下部でグリル部の隣の空間部に収納した駆動部収納ケース内に配置するようにしているが、誘導加熱コイルの高出力化，対応鍋の多様化、さらには後部中央に配置した第三の誘導加熱コイルを制御する電子制御基板の増加に伴い、電子制御部品が増加し、電子制御基板の実装密度が高くなり、通風抵抗が大きくなり、電子制御基板の熱損失も増大する傾向にある。
【００１５】
また、グリル部の内容積の大型化により、電子制御基板の配置空間が縮小してしまい、実装密度が高くなり、密集した電子制御基板の配置に課題が生じている。
【００１６】
また、従来は、上記した特許文献１，２，３に記載されているように、誘導加熱調理器の本体内の後部側に配置した冷却ファンの吸込口と吹出口の方向と、電子制御基板上に配置された発熱の大きいＩＧＢＴパワー半導体素子等の放熱補助用ヒートシンクは、冷却ファンの軸方向と一致する方向、すなわち、前後方向に直線状に配置されているため、上段の限られた電子制御基板上の配置空間に前部側左右の誘導加熱コイルの何れか一方と後部側中央部の誘導加熱コイルを制御する二つの各電子制御部品を配置し、下段の電子制御基板上に残りの誘導加熱コイルの電子制御部品を配置すると、前記電子制御基板を冷却する冷却ファンの吹出口は、ファンモータとその取付け部である中央部を除いた左右何れかに偏って開口しているため、前記吹出口から遠い側の電子制御基板上まで多くの電子制御部品を搭載した場合には、その遠い側の電子制御部品まで十分に冷却風を供給することが困難であり、高密度に実装された電子制御部品は十分に冷却風を得ることができず、高温となり、電子制御基板の信頼性を損なうものであった。
【００１７】
本発明は、上記の課題を解決するものであり、電子制御基板上に高密度に実装されたパワー半導体素子，コンデンサ等の発熱する電子制御部品の冷却効率を高め、信頼性の高い電子制御基板を実現する誘導加熱調理器を提供するものである。
【課題を解決するための手段】
【００１８】
本発明の請求項１では、本体上面に配置されたトッププレートと、該トッププレートの下方で本体内の上部に配置された誘導加熱コイルと、該誘導加熱コイルの下部に配置され電子制御部品を搭載した電子制御基板と、本体の後部側に配置され前記電子制御基板を冷却する冷却ファンとよりなり、該冷却ファンの吹出口がファンモータとその取付け部を除く左右の何れかに開口している誘導加熱調理器において、前記電子制御基板上に搭載される電子制御部品のうち、少なくとも発熱の大きい電子制御部品を前記冷却ファンの冷却風の吹出口から遠い側の前方に向けて斜め方向に配置するものである。
【００１９】
請求項２では、前記電子制御基板上に、前記冷却ファンの冷却風の吹出口から遠い側の前方に向けて斜め方向に仕切り壁を配置し、該仕切り壁の両側に冷却風路を形成し、該夫々の冷却風路上に前記仕切り壁に沿って電子制御部品を搭載するものである。
【００２０】
請求項３では、前記仕切り壁の両側に形成された冷却風路に送風された冷却風は、電子制御基板上に搭載された電子制御部品を冷却した後、一方の冷却風路の冷却風はその上面に配置した誘導加熱コイルを冷却し、他の冷却風路の冷却風は前記誘導加熱コイルより離れた位置に配置された誘導加熱コイルを冷却するものである。
【発明の効果】
【００２１】
本発明の請求項１によれば、電子制御基板上に搭載される制御部品のうち、少なくとも発熱の大きい電子制御部品を前記冷却ファンの冷却風の吹出口から遠い側の前方に向けて斜め方向に配置したので、限られた電子制御基板の配置空間に誘導加熱コイルを駆動する電子制御部品を搭載して冷却ファンの吹出口から吹出した冷却風を電子制御部品全体に導くことができ、電子制御部品の冷却性能が向上し、電子制御部品の信頼性が向上するものである。
【００２２】
また、請求項２によれば、電子制御基板上に、冷却ファンの冷却風の吹出口から遠い側の前方に向けて斜め方向に仕切り壁を配置し、該仕切り壁の両側に冷却風路を形成し、該夫々の冷却風路上に前記仕切り壁に沿って電子制御部品を搭載したので、誘導加熱コイルを駆動する各電子制御部品に冷却風を分配，調整して送風することができる。
【００２３】
また、発熱の大きい電子制御部品を冷却した後の冷却風をその他の電子制御部品側に導くことにより、高密度に実装された電子制御部品間に冷却風を供給することができ、冷却風路の通風抵抗を抑制することができ、冷却性能が向上するものである。
【００２４】
さらに、請求項３によれば、冷却ファンからの冷却風で電子制御基板上に搭載された電子制御部品を冷却した後、一方の冷却風路の冷却風はその上面に配置した誘導加熱コイルを冷却し、他の冷却風路の冷却風は前記誘導加熱コイルより離れた位置に配置された誘導加熱コイルを冷却するので、誘導加熱コイルへの冷却風の分配が可能となり、複数個の誘導加熱コイルの冷却を促進できるという効果が得られる。
【発明を実施するための最良の形態】
【００２５】
以下、本発明の実施の形態を添付図面に従って説明する。
【００２６】
本実施例は、三つの誘導加熱コイルと、一つのグリル部を備えた誘導加熱調理器を例にとって説明する。
【００２７】
図１は本発明の誘導加熱調理器の外観傾斜図である。図２は同誘導加熱調理器において、複数個の加熱コイルを駆動する電子基板を略中央で切断した側面断面図である。図３は図１の誘導加熱調理器において、駆動部収納ケース内の上段に配置した電子制御基板の実装状態を示した斜視図である。図４は図１の誘導加熱調理器において、駆動部収納ケースの上段に配置した電子制御基板の実装状態を示した上面図である。図５は図１の誘導加熱調理器において、駆動部収納ケースの外観斜視図である。
【００２８】
なお、図中の矢印は冷却風の流れを示している。
【００２９】
図において、１は誘導加熱調理器の本体、２はトッププレートで、耐熱ガラスよりなり、本体１の上面に配置され、調理鍋などの負荷を載置する。
【００３０】
本体１の内部は、略水平に配置した仕切り板３によって上下二段に仕切られており、上部側には右誘導加熱コイル４ａ，左誘導加熱コイル４ｂ，後部中央誘導加熱コイル４ｃ（抵抗ヒータでもよい）が配置されており、下部側にはこれらの加熱源を制御する多段の電子制御基板５（図では三段５ａ，５ｂ，５ｃ）と、冷却ファン６を配置した駆動部収納ユニット２７が収納されている。なお、電子制御基板５は上記加熱源の個数や種類によって三段に限定されるものではなく、必要に応じて複数段の設置ができる。
【００３１】
本体１の後部上面の右側には、冷却ファン６と対向するように外部から空気を吸い込むための吸気口８が設けられ、左側には前記電子制御基板５や加熱源を冷却した後の排気を排出する排気口９が設けられている。
【００３２】
冷却ファン６は、本体１内の仕切り板３の下部において、吸気口８と対向するように駆動部収納ユニット２７の後部に配置されており、該冷却ファン６によって吸気口８から本体１内に吸込まれた冷却風は、駆動部収納ユニット２７の後部に開口したケース吸気口７ａから駆動部収納ユニット２７内に流入して電子制御基板５を冷却した後、仕切り板３の上面側に流出し、その上面の右誘導加熱コイル４ａ，左誘導加熱コイル４ｂ，後部中央誘導加熱コイル４ｃ等を冷却し、排気口９から本体１外に排出される。また、この排気口９からは、後述するグリル部１０からの廃熱も同時に排出される。
【００３３】
図１において、グリル部１０は、魚やピザ等を焼くためのもので、本体１前面の左側（右側でもよい）に配置されており、前面に中の焼け具合を覗き見できる覗き窓１１とハンドル１２を備えている。
【００３４】
１３は前面操作部で、本体１の前面でグリル部１０の隣に配置されており、電源スイッチ１４と主にグリル部１０を制御する出没式の操作パネル１５とで構成されている。
【００３５】
１６は上面操作部で、複数のタクトスイッチで構成され、トッププレート２の前面側枠体またはトッププレート２の前面側に直接設けられており、右誘導加熱コイル４ａ，左誘導加熱コイル４ｂ，後部中央誘導加熱コイル４ｃの火力調節や調理タイマーの設定，調理メニューの呼び出し、保温や煮物，揚げ物調理等の設定，加熱の開始，停止等の制御命令を行うものである。
【００３６】
１７は表示部で、上面操作部１６に沿ってトッププレート２の前面側に設けられており、上面操作部１６で設定した火力設定や調理メニュー，タイマー値，調理温度等を使用者に分かりやすく表示する。
【００３７】
次に図２，図３，図４により駆動部収納ユニット２７の内部構造とその冷却風路構造の詳細について説明する。
【００３８】
駆動部収納ユニット２７の後部には、上記したように本体１後部の吸気口８からの空気を吸込むケース吸気口７ａと冷却ファン６が配置されており、その前面の下部と上部の略中央部には下段の電子制御基板５ａと対向するように吹出口１８ａ，駆動部収納ユニット２７の上面と仕切り板３との間隙と対向するように吹出口１８ｃが開口しており、さらに、中央部のファンモータ６ａとその取付け部を除いた左右の何れか（図では左側）に電子制御基板５ｃと対向するように吹出口１８ｂが開口している。
【００３９】
そして、前記左側の吹出口１８ｂが開口している上段の電子制御基板５ｃについてその詳細を説明すると、この電子制御基板５ｃ上には、左誘導加熱コイル４ｂ，後部中央誘導加熱コイル４ｃを駆動するための強制放熱を必要とする一対の電子制御部品、すなわち、ヒートシンク１９，該ヒートシンク１９と熱的に接触するＩＧＢＴパワー半導体素子２０，ダイオードブリッジ２１が冷却ファン６の冷却風の吹出口１８ｂから遠い側の前方に向けて斜め方向に配置されており、さらにこれらの電子制御部品の外側近傍にフィルタコンデンサ，平滑コンデンサ，共振コンデンサ等のコンデンサ類２５，抵抗類等が配置されている。
【００４０】
一方、上記電子制御基板５ｃ以外の下段の電子制御基板５ａには、主に右誘導加熱コイル４ａを駆動するための電子制御部品を前後方向に並ぶように配置する。また、中段の電子制御基板５ｂには、右誘導加熱コイル４ａのその他の電子制御部品等を前後方向に並ぶように配置する。その理由は、図２の矢印で示す冷却風の流れからも明らかなように、下部の略中央部に設けた吹出口１８ａから駆動部収納ユニット２７内に吹出された冷却風が電子制御部品を冷却した後、該駆動部収納ユニット２７の前面壁に沿って上方に向きを変え、さらに後方に向きを変えて中段の電子制御基板５ｂ上の電子制御部品を冷却するためである。
【００４１】
また、駆動部収納ユニット２７の上面には、図５に示すように、電子制御基板５を冷却した後の空気を排出し、さらに右誘導加熱コイル４ａ，左誘導加熱コイル４ｂ，後部中央誘導加熱コイル４ｃに冷却空気を送るためのケース吐出口７ｂ，７ｃが開口している。
【００４２】
本実施例は以上の構成よりなり、次に、トッププレート２上に調理鍋を載せ、右誘導加熱コイル４ａにより加熱調理する場合について説明する。なお、グリル部１０の動作については公知のものと同様であり、また本発明と直接関係がないので省略する。
【００４３】
先ず、トッププレート２に調理鍋を載せた後、前面操作部１３の電源スイッチ１４をＯＮにする。
【００４４】
次に、上面操作部１６により右誘導加熱コイル４ａの加熱出力を設定するとともに、火力調節や調理タイマーの設定，調理メニューを呼び出し、保温や煮物，揚げ物調理等の設定，調理温度の設定，加熱の開始等を行う。
【００４５】
このとき、この上面操作部１６で設定した火力設定や調理メニュー，タイマー値，調理温度等は表示部１７に使用者が判りやすいように表示される。
【００４６】
調理が始まると、使用者は、調理内容に応じて進行具合を見ながら調理鍋に調味料等を入れ、好みの味付けに仕上げる。以上の動作によって調理は終了する。調理終了後は、電源スイッチ１４をＯＦＦする。
【００４７】
次に、この動作中における駆動部収納ユニット２７内の冷却風の流れについて説明する。
【００４８】
図２に示すように、冷却ファン６の駆動によって矢印のように本体１後部の吸気口８から本体１内に流入した冷却風は、ケース吸気口７ａから駆動部収納ユニット２７内に流入する。
【００４９】
そして、矢印で示すように、冷却ファン６の前面下部に開口した吹出口１８ａ、その上に開口した吹出口１８ｂを通して駆動部収納ユニット２７内の電子制御基板５ａ，５ｂ，５ｃ上に配置された電子制御部品を冷却し、さらに、上部に開口した吹出口１８ｃを通して駆動部収納ユニット２７上面と仕切り板３との間隙を通して右誘導加熱コイル４ａの下面に冷却風を送風し、該右誘導加熱コイル４ａ等を冷却する。
【００５０】
ここで、上段の電子制御基板５ｃについて、その詳細を説明すると、冷却ファン６の前面に開口した吹出口１８ｂは、中央のファンモータ６ａとその取付け部を避けて左側に開口しており、そして、電子制御基板５ｃ上には、左誘導加熱コイル４ｂ，後部中央誘導加熱コイル４ｃを駆動するための強制放熱を必要とする一対の電子制御部品、すなわち、ヒートシンク１９，該ヒートシンク１９と熱的に接触するＩＧＢＴパワー半導体素子２０，ダイオードブリッジ２１が冷却ファン６の冷却風の吹出口１８ｂから遠い側の前方に向けて斜め方向に配置されており、さらにこれらの電子制御部品の外側近傍にフィルタコンデンサ，平滑コンデンサ，共振コンデンサ等のコンデンサ類２５，抵抗類等が配置されているため、冷却ファン６から吹出した冷却風は、図４の矢印に示すように、吹出口１８ｂからヒートシンク１９，パワー半導体素子２０，ダイオードブリッジ２１等の配列方向に沿って吹出口１８ｂから遠い側の前方に向けて斜め方向に流れ、吹出口１８ｂから近い側はもちろん、遠い側の電子制御部品も冷却する。
【００５１】
その後、冷却風は、図５に示すように、駆動部収納ケース７の上面に開口したケース吐出口７ｂ，７ｃを通して右誘導加熱コイル４ａ，左誘導加熱コイル４ｂおよび後部中央誘導加熱コイル４ｃ等を冷却し、本体１後部の排気口９から排出される。
【００５２】
なお、上記の説明では、ヒートシンク１９，該ヒートシンク１９と熱的に接触するＩＧＢＴパワー半導体素子２０の他にダイオードブリッジ２１，フィルタコンデンサ，平滑コンデンサ，共振コンデンサ等のコンデンサ類２５，抵抗類等を冷却ファン６の吹出口１８ｂから遠い側の前方に向けて斜め方向に配置したが、特に強制冷却を必要としない電子制御部品、例えばコンデンサ等は、その配置位置に特にこだわらず、適宜空間部に搭載すればよい。
【００５３】
また、上記実施例では、冷却ファン６の吹出口１８ｂが左側に開口している場合について説明したが、冷却ファンの取付け部の関係等で右側に開口している場合には、前記電子制御部品の配置を前記と逆向きの方向に搭載すればよい。
【００５４】
次に、図６は本発明の他の実施例を示すものであり、電子制御基板５ｃ上に、冷却ファン６の冷却風の吹出口１８ｂから遠い側の前方に向けて斜め方向に仕切り壁２８を配置し、該仕切り壁２８の両側に冷却風路２９，３０を形成し、該二つの冷却風路２９，３０上に仕切り壁２８に沿って同方向となるように、左誘導加熱コイル４ｂと後部中央誘導加熱コイル４ｃを駆動する一対の電子制御部品、すなわち、ヒートシンク１９，該ヒートシンク１９と熱的に接触するＩＧＢＴパワー半導体素子２０，ダイオードブリッジ２１等を夫々分けて配置したものである。
【００５５】
これにより、左誘導加熱コイル４ｂと後部中央誘導加熱コイル４ｃを駆動する電子制御部品への冷却風の分配が容易となり、また冷却風を強制的に高密度に実装された電子制御部品間に供給でき、電子制御部品の冷却性能が向上するものである。
【００５６】
また、仕切り壁２８の先端に図示するようにＹ字状湾曲部２８ａを形成した場合には、電子制御部品を冷却した後の冷却風がそのＹ字状湾曲部２８ａに沿って駆動部収納ケース７の上面に開口したケース吐出口７ｂ，７ｃに案内され、右誘導加熱コイル４ａ，左誘導加熱コイル４ｂおよび後部中央誘導加熱コイル４ｃ等にスムーズに冷却風を送風することができる。
【００５７】
以上のように、本発明によれば、電子制御基板５上に搭載される電子制御部品のうち、少なくとも発熱の大きい電子制御部品を冷却ファン６の冷却風の吹出口１８ｂから遠い側の前方に向けて斜め方向に配置したので、限られた電子制御基板５の配置空間に誘導加熱コイル４ａ，４ｂ，４ｃを駆動する電子制御部品を搭載して冷却ファンから吹出した冷却風を電子制御部品全体に導くことができ、電子制御部品の冷却性能が向上し、電子制御部品の信頼性が向上するものである。
【００５８】
また、電子制御基板５上に、冷却ファン６の冷却風の吹出口から遠い側の前方に向けて斜め方向に仕切り壁２８を配置し、該仕切り壁２８の両側に冷却風路２９，３０を形成し、該冷却風路２９，３０上の夫々に仕切り壁２８に沿って電子制御部品を搭載したので、誘導加熱コイル４ａ，４ｂ，４ｃを駆動する各電子制御部品に冷却風を分配，調整して送風することができる。
【００５９】
また、発熱の大きい電子制御部品を冷却した後の冷却風を、その他の電子制御部品側に導くことにより、高密度に実装された電子制御部品間に冷却風を供給することができ、冷却性能が向上するものである。
【００６０】
さらに、冷却ファン６からの冷却風で電子制御基板５上に搭載された電子制御部品を冷却した後、一方の冷却風路２９の冷却風はその上面に配置した誘導加熱コイル４ａを冷却し、他の冷却風路３０の冷却風は前記誘導加熱コイル４ａより離れた位置に配置された誘導加熱コイル４ｂ，４ｃ等を冷却するので、誘導加熱コイル４ａ，４ｂ，４ｃへの冷却風の分配が可能となり、これらの誘導加熱コイルの冷却を促進できるという効果が得られる。
【図面の簡単な説明】
【００６１】
【図１】本発明の誘導加熱調理器の外観傾斜図である。
【図２】同誘導加熱調理器において、複数個の加熱コイルを駆動する電子基板を略中央で切断した側面断面図である。
【図３】図１の誘導加熱調理器において、駆動部収納ケース内の上段に配置した電子制御基板の実装状態を示した斜視図である。
【図４】図１の誘導加熱調理器において、駆動部収納ケースの上段に配置した電子制御基板の実装状態を示した上面図である。
【図５】図１の誘導加熱調理器において、駆動部収納ケースの外観斜視図である。
【図６】本発明の誘導加熱調理器において、駆動部収納ケースの上段に配置した電子制御基板の実装状態を示した他の実施例の上面図である。
【符号の説明】
【００６２】
１  本体
２  トッププレート
４ａ  右誘導加熱コイル
４ｂ  左誘導加熱コイル
４ｃ  後部中央誘導加熱コイル
５（５ａ，５ｂ，５ｃ）  電子制御基板
６  冷却ファン
７  駆動部収納ケース
８  吸気口
９  排気口
１０  グリル部
１８ａ，１８ｂ，１８ｃ  吹出口
１９  ヒートシンク
２０  パワー半導体素子
２１  ダイオードブリッジ
２７  駆動部収納ユニット
２８  仕切り壁
２９，３０  冷却風路
【図１】
2008311092.tif 000003
【図２】
2008311092.tif 000004
【図３】
2008311092.tif 000005
【図４】
2008311092.tif 000006
【図５】
2008311092.tif 000007
【図６】
2008311092.tif 000008